(57)【特許請求の範囲】
【請求項１】
コンロの火炎開口部の上方外周に膨出した膨出部が形成され、木炭や練炭が使用されるコンロに取り付けられるコンロ用つかみ手であって、コンロの外周膨出部を下支えする外周支持部材と、外周支持部材の所定箇所に設けられ上記外周膨出部を上下方向から嵌合させる嵌合部と、この嵌合部に取り付けられる持ち運びのためのつかみ手とを備え、嵌合部の上部には、コンロの火炎開口部上に配置される網板を係止する係止用突起が設けられていることを特徴とするコンロ用つかみ手。
【請求項２】
前記嵌合部がコンロの外周膨出部と所定間隔を保って上下方向から嵌合され、つかみ手が円弧形状のもので、その両先端部が上記嵌合部に形成される取り付け用穴に係止されていることを特徴とする請求項１記載のコンロ用つかみ手。
【発明の詳細な説明】
【０００１】
【発明の属する技術分野】
本発明は、木炭や練炭が使用されるコンロに取り付けられるコンロ用つかみ手に関する。
【０００２】
【従来の技術】
従来、木炭や練炭が使用されるコンロは、魚を焼くときや焼き肉をするとき等に、その焼き具合や風味を醸し出すものとして、現在でも調理器具としてかかせないものになっている。木炭や練炭が使用されるコンロのなかでも、土製のコンロは七輪と呼ばれる。
【０００３】
図８に示すコンロは、木炭が使用される珪藻土で作られた土製コンロ、すなわち七輪であり、土製コンロ２１の外周に配される薄い帯金Ｋが主要な箇所に配されて型くずれを防止している。そして、上記薄い帯金Ｋの所定箇所に形成される取り付け用穴２２が形成されている。また、この取り付け用穴２２に連続する穴２３が土製コンロ自体にも形成されている。持ち運びのためのつかみ手２４は、金属製の円弧形状のもので、円弧形状の両側先端部２４ａ，２４ｂを取り付け用穴２２とコンロの穴２３に連続的に直接差し込んで取り付けられている。
【０００４】
【発明が解決しようとする課題】
しかしながら、従来のコンロ用つかみ手２４では、その両先端部２４ａ，２４ｂが薄い帯金Ｋの取り付け用穴２２に差し込まれるものであることと、七輪のような土製コンロ２１に直接コンロ用つかみ手を設けられているものでは、上記穴２３が広がって容易に外れることとなっていた。また、土製コンロ２１の火炎が薄い帯金Ｋにも直接伝導して脆弱化させることもつかみ手が容易に外れる原因となっていた。したがって、土製コンロ２１を持ち運ぶときに炭火を落下させる危険を有する。また、コンロ用つかみ手２４を交換しようにも、上記帯金Ｋの取り付け用穴２２が脆弱し、土製コンロ２１の穴２３も広がっているために交換しても、すぐにまた外れる問題を有していた。
【０００５】
また、魚を焼くときや焼き肉をするとき等においては、火炎開口部を塞ぐように網板が載置されるが、網板は火炎開口部の上に単に載置されるに過ぎないことから、網板の位置がずれたり、ときには誤って落下させる危険を有していた。
【０００６】
そこで、本発明は、頑丈で外れにくくコンロを安全に安心して持ち運びすることができ、しかも、火炎開口部に載置される網板の位置ズレを防止することが可能なコンロ用つかみ手を提供することを目的とする。
【０００７】
【課題を解決するための手段】
本発明は、上記課題を解決するために、コンロの火炎開口部の上方外周に膨出した膨出部が形成され、木炭や練炭が使用されるコンロに取り付けられるコンロ用つかみ手であって、コンロの外周膨出部を下支えする外周支持部材と、外周支持部材の所定箇所に設けられ上記外周膨出部を上下方向から嵌合させる嵌合部と、この嵌合部に取り付けられる持ち運びのためのつかみ手とを備え、嵌合部の上部には、コンロの火炎開口部上に配置される網板を係止する係止用突起が設けられていることを特徴とする。
【０００８】
この発明によれば、火炎開口部の上方外周に膨出した外周膨出部を上下方向から嵌合させる嵌合部にコンロ用つかみ手が設けられていることから、コンロＳを持ち運びするときは外周膨出部を下支えする外周支持部材を介して全体を持ち上げるように持ち運びすることができる。また、つかみ手は、従来のように帯金やコンロに形成された穴に係止させるものではなく、コンロの火炎による影響を受けにくい別体の嵌合部に設けるために、つかみ手を確実に係止等させて頑丈で外れにくくすることができる。そして、この嵌合部の上部には、コンロの火炎開口部上に配置される網板を係止する係止用突起が設けられているため、魚を焼くときや焼き肉をするときなどに使用される網板のアミ目に上記係止用突起を係止させることにより、網板が調理するときに外れる事態を防止することができるとともに、外すことも容易になる。
【０００９】
本発明の請求項２記載のコンロ用つかみ手は、前記嵌合部がコンロの外周膨出部と所定間隔を保って上下方向から嵌合され、前記つかみ手が円弧形状のもので、その両先端部が上記嵌合部に形成される取り付け用穴に係止されていることを特徴とする。
【００１０】
この発明によれば、前記嵌合部が上記コンロの外周膨出部と所定間隔を保って上下方向から嵌合されるために、つかみ手の取り付け側の先端部を嵌合部の取り付け用穴に深く差し込むことができる。
【００１１】
【００１２】
【００１３】
【発明の実施の形態】
以下、本発明の一実施の形態を図面を参照しながら説明する。
（第１の実施の形態）本実施の形態は、土製のコンロ、すなわち七輪に適用されるコンロ用つかみ手である。七輪Ｓは、図１及び図３に示すように、断面円形状で火炎開口部Ｓ１の上方外周に膨出した外周膨出部Ｓ２が円形に形成され、下方から上方に向かって径の大きさが大きくなっている。火炎開口部Ｓ１には、火のついた木炭や練炭が入れられる。また、内部（火炎開口部）Ｓ２への空気量を調節する開口窓Ｓ３が正面側に設けられている。土製のコンロＳの外周や火炎開口部Ｓ２には、型くずれを防止するための帯金Ｋが設けられている。
【００１４】
本実施の形態のコンロ用つかみ手１は、金属製のもので、土製コンロＳの外周膨出部Ｓ２を下支えする外周支持部材２と、外周支持部材２の所定箇所に対向して設けられる嵌合部３と、持ち運びのための円弧状のつかみ手４とから構成されている。外周支持部材２は、リング状を呈し、土製コンロＳの外周膨出部Ｓ２よりも一回り小さいリングであり、その所定箇所に対向して嵌合部３が溶接止めされている。つかみ手４は、その両先端部４ａ，４ｂが嵌合部３のほぼ中央に形成される取り付け用穴５に係止されている。
【００１５】
嵌合部３は、土製コンロＳの外周膨出部Ｓ２を上下方向から嵌合させるもので、上方に向かって広がりを有する「く」の字状を呈し、その下方部３ａが外周支持部材２の所定箇所に溶接止めされ、その上方に、水平な上方係止片３ｂが設けられている。また、嵌合部３のほぼ中央には、つかみ手４の両先端部４ａ，４ｂを差し込む取り付け用穴５が形成されている。したがって、嵌合部３は、土製コンロＳの外周膨出部Ｓ２を上下方向から嵌合させると、土製コンロＳの外周膨出部Ｓ２とは所定間隔Ｈを保って取り付けられる。すなわち、嵌合部３の内側と外周膨出部Ｓ２との間隔を所定間隔Ｈを保って取り付けられる。したがって、つかみ手４の両先端部４ａ，４ｂを上記取り付け用穴５に深く差し込むことができ、確実に取り付けられる。また、上方係止片３ｂには、土製コンロＳの火炎開口部Ｓ１上に配置される網板Ａを係止する係止用突起８が設けられている。
【００１６】
したがって、本実施の形態のコンロ用つかみ手１を土製コンロＳに取り付ける場合は、図４に示すように、つかみ手４が取り付けられたコンロ用つかみ手１を土製コンロＳの下方側から外周支持部材２を通して、外周膨出部Ｓ２の全体を下支えさせて、くの字状の嵌合部３を一対の外周膨出部Ｓ２の所定箇所に上下方向から嵌合させて取り付ける。すなわち、嵌合部３の下方部３ａを外周膨出部Ｓ２の下方側に、水平な上方係止片３ｂを外周膨出部Ｓ２の上方側にして、外周膨出部Ｓ２の上下方向から嵌合させる。
【００１７】
このように取り付けると、コンロＳを持ち運びするときは、外周膨出部Ｓ２を下支えする外周支持部材２を介して全体を持ち上げるように持ち運びすることができ、安全かつ安心して持ち運びすることができる（図２，図３）。また、つかみ手４の先端部４ａ，４ｂは、従来のように帯金Ｋの取り付け用穴や土製コンロＳに形成された穴に係止されるものではなく、土製コンロＳとは別体のコンロ用つかみ手１の嵌合部３に取り付けられることから、火炎の影響を受ける帯金Ｋに穴を開けたり、土製コンロＳに穴を形成させたりする必要がない。さらに、本実施の形態のコンロ用つかみ手１は、土製コンロＳとは、別体であり、それ自体としても販売が可能であり、土製コンロＳと同じ大きさなのものであれば、土製コンロＳ以外の持ち運びにも使用可能である。
【００１８】
また、土製のコンロＳ１の火炎開口部Ｓ２に網板Ａを配するときには、図２に示すように、網板Ａのアミ目に上記係止用突起８を係止させることにより、網板Ａが調理するときに外れる事態を防止することができ、網板Ａを外すことも容易になる。なお、網板Ａは円形状でも四角形状でもその形状は問われない。したがって、安心して魚を焼いたり焼き肉を行うことが可能であるが、焼き肉等の場合は、頻繁に網板Ａを交換する必要が生じる場合があるために、頗るその利便性を発揮させる。
【００１９】
ここで、土製のコンロＳ１は、そのほとんどが断面円形状のものであるが、なかには断面四角形状の筒型の土製のコンロも数は少ないが市販されている。例えば、宴会の席などの御膳に配される小型のものである。このような断面四角形状の筒型の土製のコンロの場合は、上記外周支持部材２をその形状に合わせて四角形状に形成することにより、本実施の形態の場合と同じように適用可能である。すなわち、本発明は、断面四角形状の筒型の土製のコンロにも適用可能である。また、上記外周支持部材２の数を複数にしたり、嵌合部３の数は、３個以上にすることも可能である。この場合、図５に示すように、複数の嵌合部３に各々上記係止用突起８を設け、これらの係止用突起８の内側に網板Ａを配置するようにして、網板Ａが調理するときに外れる事態を防止しても良い。
【００２０】
（第２の実施の形態）本実施の形態のコンロ用つかみ手１１は、図６及び図７に示すように、上記嵌合部３に凹状の固定部３ｃが所定の大きさの穴６を形成するように溶接され、この凹状の固定部３ｃと嵌合部３との間の穴６にリング状のつかみ手７が取り付けられている。このリング状のつかみ手７は、左右一対のもので、したがって、上記嵌合部３と凹状の固定部３ｃとの間の穴６に取り付けられると、第１の実施の形態のように、火炎開口部Ｓ１の上につかみ手７が配されないことから、火のついたまま土製コンロＳを持ち運びする場合も安全である。また、この左右一対のリング状のつかみ手７は、従来の土製コンロＳにはない斬新なデザインとなっている。なお、本実施の形態の左右一対のリング状のつかみ手７を第１の実施の形態の嵌合部３の取り付け用穴５に取り付けることも可能である。
【００２１】
以上、本実施の形態のコンロ用つかみ手１，１１は、金属製のもので説明したが、本発明はこれに限定されるものではなく、他の合金、合成樹脂材料等でも適用できるものである。また、七輪で説明したが、本発明はこれに限定されるものではなく、木炭や練炭が使用されるコンロに広く適用できるものである。
【００２２】
【発明の効果】
本発明のコンロ用つかみ手は、火炎開口部の上方外周に膨出した外周膨出部を上下方向から嵌合させる嵌合部にコンロ用つかみ手が設けられていることから、コンロを持ち運びするときは、外周膨出部を下支えする外周支持部材を介して全体を持ち上げるように持ち運びすることができ、安全かつ安心して持ち運びすることが可能になる。また、つかみ手は、従来のように帯金やコンロに形成された穴に係止させるものではなく、コンロの火炎による影響を受けにくい別体の嵌合部に設けるために、つかみ手を確実に係止等させて頑丈で外れにくくすること可能である。
【００２３】
【図面の簡単な説明】
【図１】本発明の第１の実施の形態のコンロ用つかみ手とコンロを示す斜視図である。
【図２】上記第１の実施の形態の使用状態を示す斜視図である。
【図３】上記第１の実施の形態の使用状態を示す断面図である。
【図４】上記第１の実施の形態のコンロ用つかみ手の取り付ける状態を示す側面図である。
【図５】上記第１の実施の形態の応用例を示す斜視図である。
【図６】本発明の第２の実施の形態のコンロ用つかみ手を示す斜視図である。
【図７】本発明の第２の実施の形態の使用状態を示す斜視図である。
【図８】従来のコンロ用つかみ手を示す斜視図である。
【符号の説明】
１，１１ コンロ用つかみ手、
２ 外周支持部材、
３ 嵌合部、
４，７ つかみ手、
４ａ，４ｂ つかみ手の両先端部、
８ 係止用突起
Ａ 網板、
Ｈ 嵌合部の内側と外周膨出部との間隔、
Ｓ 土製のコンロ（七輪）、
Ｓ１ 火炎開口部、Ｓ２ 外周膨出部、Ｋ 帯金
【図１】
0003595501.tif 000002
【図２】
0003595501.tif 000003
【図３】
0003595501.tif 000004
【図４】
0003595501.tif 000005
【図５】
0003595501.tif 000006
【図６】
0003595501.tif 000007
【図７】
0003595501.tif 000008
【図８】
0003595501.tif 000009